Podtech/llm-jp-corpus-v4-ja_patent huggingface dataset:
(57)【要約】      （修正有）【課題】悪臭を防ぐ為のトラップを取り付け不可能な部位や器具、若しくは空調機の排水配管から逆流する悪臭を防止する為に、排水管を既存のトラップに接続不可能な部位等に関する悪臭防止の方法を提供する。【解決手段】既設のあらゆる部位から発生する悪臭を防ぐ為に、既設排水管に応じた口径材１にビニール材２を取り付けることで、汚泥は流れるが空気等の悪臭は、ビニール材２の性質である筒状がくっつく（接合）状態になるため悪臭等が逆流する事をなくすことが出来た。【選択図】図１
2009150201.tif 000002
【特許請求の範囲】
【請求項１】
排水トラップ等から発生する悪臭を防ぐ為に、排水配管の口径のサイズに合わせ、筒状のビニールを取り付ける事で、ビニール同士が接合し悪臭が逆流することがない、また上流から排出される排水は、筒状内部のビニールを通じて通過する事を特徴とする。
【発明の詳細な説明】
【技術分野】
【０００１】本発明は、ビニールの性質を利用し排水配管等に配管口径のサイズに応じた配管に筒状のビニールを取り付ける事で、排水配管等から発生する悪臭の逆流を防ぐものである。
【背景技術】
【０００２】排水配管から握手が逆流する為、配管の口径のサイズに適合した配管に筒状のビニールを取付たところ、ビニールの特性である筒状のビニール同士が接合しあい、悪臭が逆流することがなかった。［特許文献なし］
【発明の開示】
【発明者が解決しようとする課題】
【０００３】排水配管からの悪臭を防ぐためには、配管トラップという方法があるが、配管トラップの工法が出来ない場合があるため、配管を使わない方法を開発する必要がある。
【課題を解決する為の手段】
【０００４】配管サイズの口径のサイズに応じた配管に、筒状のビニールを取付け、悪臭が、配管を通じて逆流しないかを確認したが、第三者の立会いの基悪臭は認められなかった。
【発明の効果】
【０００５】悪臭の現場に対応した結果、悪臭が逆流することはなかった。
【発明の実施するための最良の形態】
【０００６】自治体が使用する公民館は、年間を通じて数回しか使用しないことからトイレや台所の排水のトラップの水が渇水し悪臭が配管を通じて逆流しているが、本発明のビニール封水トラップを取り付けたところ、試験用に流した排水は流れ、また悪臭は逆流する事無く結果が得られた。
【実施例】
【０００７】以下本発明をさらに詳細に説明する。
本発明の実施において、排水桝のマンホール蓋や台所の備え付けの流し排水トラップを取り除き本発明のビニール封水トラップを取り付け実施した▲１▼ビニール配管材の大きさは、既存の配管サイズに応じた口径に▲２▼ビニール材を取り付け、既存に取り付け実施した結果、第三者の官能試験から悪臭を感知することが無く、悪臭を発することが無かった。
【産業上の利用可能性】
【０００８】配管や金属を利用した方法で、水を溜め悪臭が逆流する防止策が施されているが、配管や金物の大きさや場所を広く取ることや、取り付け不可能な環境から本発明のビニール封水トラップを利用することで幅広い利用方法があることや、既に利用販売先が見込めるている。
【図面の簡単な説明】
【０００９】
【図１】ビニール封水トラップを示した詳細図である。
【符号の説明】
【００１０】▲１▼ビニールパイプ類
▲２▼ビニール材
【図１】
2009150201.tif 000003
(57)【要約】【課題】  立体構造物において、人体の肩部及び腕部の姿勢及び可動を、一軸回転関節を使用して充分に再現すること。【解決手段】  胴体背部に一軸回転関節５，６を設けることにより、より人体に近い肩部及び腕部の姿勢及び可動を再現する。【選択図】図２
2009000803.tif 000002
【特許請求の範囲】
【請求項１】
一軸回転関節を組み合わせ人体の肩甲骨的可動を再現した立体構造物の肩部関節構造
【発明の詳細な説明】
【技術分野】
【０００１】  本発明は、人体の姿勢及び可動を再現しようとする立体構造物の肩部関節構造に関するものであり、一軸回転関節を組み合わせた肩甲骨的構造を設けることにより、人体の腕部及び肩部可動を再現出来るようにしたものである。
【背景技術】
【０００２】  従来の人体の姿勢及び可動を再現しようとする立体構造物は、肩甲骨的構造を持たず腕部を直接胴体に接続している物が多い。（図１参照）【０００３】  また肩甲骨的構造を有していても、その可動が不充分であったり、適用に制限があったりする。
【発明の開示】
【発明が解決しようとする課題】
【０００４】  従来の肩甲骨的構造を持たない立体構造物では、人体の腕部及び肩部の複雑な姿勢及び可動を充分に再現することは出来ない。【０００５】  そのため、腕部の可動範囲や双腕での作業領域が狭く複雑な作業が出来ない。【０００６】  また、胴体前方の主たる作業領域に腕部先端の作業部を移動させるのに、複数の関節を可動させる必要があり、時間的にもエネルギー的にも無駄である。【０００７】  模型等には球形関節により肩甲骨的構造を再現しようとする物もあるが、球形関節は自立的に関節を可動させるロボットには適当ではない。【０００８】  本発明は、以上の問題を課題とする。
【課題を解決するための手段】
【０００９】  この課題を解決するための請求項の発明は、胴体背面に一軸回転関節を組み合わせて配置し、肩甲骨的構造を設けるというものである。
【発明の効果】
【００１０】  本発明により構成される立体構造物は、充分に人体の腕部及び肩部の姿勢及び可動を再現することが出来る。（図２参照）【００１１】  また一軸回転関節を使用しているため、自立的に関節を可動させるロボットにも適用することが出来る。【００１２】  そして腕部及び双腕での作業領域の拡大と、胴体前方の主たる作業領域への腕部先端作業部の効率的移動を実現する。
【発明を実施するための最良の形態】
【００１３】  まず、胴体背面に肩部旋回関節を設け、腕部の胴体前方へ入り込む自由度を上げる。これにより腕部回転関節の軸が胴体前方に傾き、腕部及び双腕での作業領域が拡がる。【００１４】  また、腕部回転関節の軸が胴体前方に傾いた状態を初期位置に設定しておけば、主作業領域に腕部回転関節を可動させるだけで腕部先端作業部を移動させることが出来、効率が上がる。【００１５】次に肩部旋回関節に肩部上昇関節を接続する。これにより頭上での双腕作業が可能となる。
【図面の簡単な説明】
【００１６】
【図１】    従来の肩甲骨構造を持たない人体の姿勢及び可動を再現しようとする立体構造物の後斜視図である。
【図２】    本発明の後斜視図である。
【符号の説明】
【００１７】    １    胴体部
２    腕部回転関節
３    腕部上昇関節
４    腕部
５    肩部旋回関節
６    肩部上昇関節
【図１】
2009000803.tif 000003
【図２】
2009000803.tif 000004
(57)【要約】【課題】解決しようとする課題は、ブロー成形品の薄バリは作業者の手作業によってナイフにより削ぎ落とす必要があるが一度ではなかなか削ぎ落とせないという点である。【解決手段】ほぼ平行に取り付けられた前刃と後刃を具有するバリ取り器の該前刃と該後刃を該薄バリに同時に軽くあてがい、該ブロー成形品上を滑らすように動かすことで該前刃が該薄バリに引っ掛かって該薄バリを引っ張るようになり、さらに、該前刃と該後刃との間のクリアランスＢに位置する該薄バリ５には該前刃１１に引っ掛けられて引っ張られることで張力が生じており、そこへ該後刃１２を該張力方向に交差する方向に押し込んで容易に該薄バリ５に切り込ませることにより前記課題を解決した。【選択図】図４
2009000813.tif 000002
【特許請求の範囲】
【請求項１】
ほぼ平行に取り付けられた前刃と後刃を具有するバリ取り器
【請求項２】
請求項１記載のバリ取り器の該前刃と該後刃をブロー成形品のバリに同時に軽くあてがい、該ブロー成形品上を滑らすように動かすことにより該ブロー成形品からバリを除去する方法
【発明の詳細な説明】
【技術分野】
【０００１】
本発明は、ブロー成形品からバリを除去するバリ取り器およびバリを除去する方法に関する。
【背景技術】
【０００２】
ブロー成形品からバリを除去する方法に関する従来技術としては特許文献１の段落０００２に示されている「最も一般的なバリ取り方法は、金型からバリ付き成形品を取出した後、作業者が、手でバリを切り取るものである・・・」が公知である。
【特許文献１】特開２００１−６２９０３号公報
【０００３】
即ち、型から取り出したブロー成形品の厚バリを作業者の腕力にて引きちぎり、残った薄バリをナイフ等で仕上げるというものである。
【０００４】
しかし、その仕上がりはナイフの切れ味に依存し且つ作業者の熟練度によって能率が左右されるものであるから、従来のような方法では安定した生産ができないという欠点があった。
【０００５】
以下、図によってより詳しく説明する。図１は従来のブロー成形用分割金型２，２の食切り刃３，３近傍の断面図である。ブロー成形品１は該分割金型２，２内にて厚バリ４を伴って賦形される。
【０００６】
図２は該ブロー成形品１を該分割金型２，２内から離型したものの断面図である。該ブロー成形品１と該厚バリ４の中間の該食切り刃３，３に挟まれていた部分に薄バリ５が形成されている。
【０００７】
離型後、該ブロー成形品１の該厚バリ４を作業者の腕力にて引きちぎり、該薄バリ５を残すだけとなったものの断面図を図３に示す。
【０００８】
該薄バリ５を作業者の手作業によってナイフにより削ぎ落とす必要があるが該薄バリ５は柔らかくしなやかで簡単に寝てしまうため一度で削ぎ落とせない場合も多く、何回も同じ場所をナイフでこすることが必要となり、非常に能率が悪い上に仕上がりも美しくならないという欠点があった。
【発明の開示】
【発明が解決しようとする課題】
【０００９】
解決しようとする課題は、ブロー成形品の薄バリを作業者の手作業によってナイフにより削ぎ落とす必要があるが一度ではなかなか削ぎ落とせないという点である。本発明は上記の点を解決するためになされた。
【課題を解決するための手段】
【００１０】
上記目的を達成するため本発明は、ほぼ平行に取り付けられた前刃と後刃を具有するバリ取り器であることを最も主要な特徴とする。
【００１１】
また、上記バリ取り器の該前刃と該後刃をブロー成形品のバリに同時に軽くあてがい、該ブロー成形品上を滑らすように動かすことにより該ブロー成形品からバリを除去することを第２の主要な特徴とする。
【発明の効果】
【００１２】
本発明によれば、前刃と後刃との間のクリアランスに位置する該薄バリには該前刃に引っ掛けられて引っ張られることで張力が生じており、そこへ該後刃を該張力方向に交差する方向に押し込んで容易に該薄バリに切り込ませるため、何回も同じ場所をナイフでこする必要がなく、能率があがる上に仕上がりも美しくなるという利点がある。
【発明を実施するための最良の形態】
【００１３】
ブロー成形品からバリを除去するのに何回も同じ場所をナイフでこする必要がなく、能率をあげるとともに仕上がりも美しくするという目的を、ほぼ平行に取り付けられた前刃と後刃を具有するバリ取り器を使用し、該バリ取り器の該前刃と該後刃を該ブロー成形品の該バリに同時に軽くあてがい、該ブロー成形品上を滑らすように動かすことにより該バリを除去することによって、経済性を損なわずに実現した。
【実施例１】
【００１４】
本発明の構成を発明の実施の形態に基づいて説明すると次の通りである。尚、従来例と同一の符号は同一の部材を表す。
【００１５】
図４は、本発明の１実施例を示す図３のＡ矢視図である。バリ取り器７はほぼ平行に取り付けられた前刃１１と後刃１２を具有している。
【００１６】
次に本発明の作用を説明する。該バリ取り器７の該前刃１１と該後刃１２を該薄バリ５に同時に軽くあてがい、図中に示すバリ取り器進行方向１０の方向に該ブロー成形品１上を滑らすように動かす。
【００１７】
この時、該前刃１１は該薄バリ５に引っ掛かって該薄バリ５を該バリ取り器進行方向１０に引っ張るようになる。この場合該前刃１１がそのまま該薄バリ５に切り込めばそれでよし、もし切り込みに失敗した場合でも該前刃１１と該後刃１２との間のクリアランスＢに位置する該薄バリ５には該前刃１１に引っ掛けられて引っ張られることで張力が生じており、そこへ該後刃１２が該張力方向に交差する方向に押し込まれるので容易に該薄バリ５に切り込むことができる。
【００１８】
以上実施例に述べたように本発明によれば、ブロー成形品の厚バリを作業者の腕力にて引きちぎり、残った薄バリを仕上げるに際して、ほぼ平行に取り付けられた前刃と後刃を具有するバリ取り器の該前刃と該後刃を該薄バリに同時に軽くあてがい、該ブロー成形品上を滑らすように動かすことで該前刃が該薄バリに引っ掛かって該薄バリを引っ張るようになる。
【００１９】
さらに、該前刃と該後刃との間のクリアランスＢに位置する該薄バリ５には該前刃１１に引っ掛けられて引っ張られることで張力が生じており、そこへ該後刃１２が該張力方向に交差する方向に押し込まれて容易に該薄バリ５に切り込むので、何回も同じ場所をナイフでこする必要がなく能率があがる上に仕上がりも美しくなるという効果がある。
【産業上の利用可能性】
【００２０】
本発明は、ブロー成形品の薄バリを仕上げるのに利用可能である。
【図面の簡単な説明】
【００２１】
【図１】従来のブロー成形用分割金型の食切り刃近傍の断面図
【図２】分割金型内から離型されたブロー成形品の断面図
【図３】厚バリを除去し、薄バリを残すだけとなったブロー成形品の断面図
【図４】本発明の１実施例を示す、図３のＡ矢視図
【符号の説明】
【００２２】
１    ブロー成形品
２    分割金型
３    食切り刃
４    厚バリ
５    薄バリ
７    バリ取り器
１０    バリ取り器進行方向
１１    前刃
１２    後刃
Ｂ    クリアランス
【図１】
2009000813.tif 000003
【図２】
2009000813.tif 000004
【図３】
2009000813.tif 000005
【図４】
2009000813.tif 000006
(57)【要約】【課題】  使用者が眼鏡をかけた状態で装着することができる水中メガネを得る。【解決手段】  使用者が眼鏡８をかけた状態で装着することができる水中メガネ１であって、ガラス部２と、ガラス部２が取り付けられたフレーム部３と、フレーム部３の周縁から後方に延びるスカート部４とを備え、スカート部４の両端部６，７は、水中メガネ１の装着者の耳介に向かってそれぞれ延びており、該両端部６，７内側には、眼鏡８のフレーム９と使用者の側頭部とが接する領域を含む部分に、ゲル状物質が収容された収容体１０がそれぞれ設けられている。【選択図】  図１
2009000193.tif 000002
【特許請求の範囲】
【請求項１】
使用者が眼鏡をかけた状態で装着することができる水中メガネであって、
ガラス部と、
前記ガラス部が取り付けられたフレーム部と、
前記フレーム部の周縁から後方に延びるスカート部とを備え、
前記スカート部の両端部は、前記水中メガネの装着者の耳介に向かってそれぞれ延びており、該両端部内側には、前記眼鏡のフレームと前記使用者の側頭部とが接する領域を含む部分に、ゲル状物質が収容された収容体がそれぞれ設けられていることを特徴とする水中メガネ。
【請求項２】
前記スカート部の両端部には、締付バンドがそれぞれ取り付けられていることを特徴とする請求項１に記載の水中メガネ。
【発明の詳細な説明】
【技術分野】
【０００１】
本発明は、使用者が眼鏡をかけた状態で装着することができる水中メガネに関するものである。
【背景技術】
【０００２】
従来において、クッション性を良くした水中メガネや、装着中の位置ずれを防止することができる水中メガネなど、さまざまな水中メガネが知られている（例えば、特許文献１、２参照。）。
【特許文献１】特開平１１−１０４２６７号公報
【特許文献２】特開平１１−２９９９２８号公報
【発明の開示】
【発明が解決しようとする課題】
【０００３】
しかしながら、従来における水中メガネは、眼鏡をかけた使用者に対応していないため、使用者が眼鏡をかけた状態で水中メガネを装着することができない。従って、普段眼鏡をかける人は、眼鏡に代えてコンタクトレンズを使用して水中メガネを装着するか、あるいは眼鏡を外した裸眼状態で水中メガネを装着しなければならなかった。従って、普段眼鏡をかける人は、水中メガネの装着に対して非常に不便であった。
【０００４】
本発明は、上述のような従来技術の問題点に鑑みてなされたものであり、使用者が眼鏡をかけた状態で装着することができる水中メガネを提供することを目的とする。
【課題を解決するための手段】
【０００５】
本発明は、使用者が眼鏡をかけた状態で装着することができる水中メガネであって、ガラス部と、前記ガラス部が取り付けられたフレーム部と、前記フレーム部の周縁から後方に延びるスカート部とを備え、前記スカート部の両端部は、前記水中メガネの装着者の耳介に向かってそれぞれ延びており、該両端部内側には、前記眼鏡のフレームと前記使用者の側頭部とが接する領域を含む部分に、ゲル状物質が収容された収容体がそれぞれ設けられていることを特徴とする水中メガネを提供する。また、前記スカート部の両端部には、締付バンドがそれぞれ取り付けられている。
【発明の効果】
【０００６】
本発明によれば、スカート部とゲル状物質が収容された収容体とによって水中メガネ内に水が入るのを防止することができるため、使用者が眼鏡をかけた状態で水中メガネを装着することができる。
【発明を実施するための最良の形態】
【０００７】
以下、本発明にかかる水中メガネを実施するための最良の形態について図面を参照しながら述べる。図１において、符号１は、本発明にかかる、使用者（装着者）が眼鏡をかけた状態で装着することができる水中メガネを示している。水中メガネ１は、水中メガネ１の前面に配置されたガラス部２と、ガラス部２が取り付けられたフレーム部３と、フレーム部３の周縁から後方に延びるスカート部４とを備えている。
【０００８】
ガラス部２は、その幅方向（図１において左右方向）の寸法は、使用者がかけている眼鏡の幅寸法よりも大きく設定されている。フレーム部３は、ガラス部２の周囲を取り囲んでおり、このフレーム部３はガラス部２と一体形成することが可能である。また、ガラス部２の下側中央には、水中メガネを装着した装着者（使用者）の鼻に対応するように鼻部５が形成されている。
【０００９】
スカート部４は、フレーム部３の後方周縁から後方に延びている。このスカート部４は、弾性材で形成されており、水中メガネ１内に水が入らないようにするために、スカート部４の周縁部が装着者の顔面と密着するようになっている。そして、このスカート部４の両端部６，７は、水中メガネの装着者の耳介に向かって延びている。従って、スカート部４は、両端部以外の部分の周縁部が装着者の顔面を覆うように密着していると共に、両端部の周縁部が装着者の側頭部の一部を覆うように密着している。なお、スカート部４の両端部６，７には、水中メガネ１を使用者の頭部に固定するための締付バンド２０がそれぞれ取り付けられている。
【００１０】
スカート部４の両端部６，７の内側には、眼鏡８のフレーム９と使用者の側頭部とが接する領域を含む部分に、ゲル状物質が収容された収容体１０がそれぞれ設けられている。図２には、図１において符号３０で示す矢印方向からみたときの収容体１０を示している。図１及び図２に示すように、スカート部４の両端部６，７の内側に設けられたゲル状物質が収容された収容体１０によって、眼鏡８のフレーム９と使用者の側頭部とが接する領域から水中メガネ１内に水が入るのを防止されている。すなわち、収容体１０は、フレーム９と隙間がないように密着し、かつフレーム９の近傍の側頭部と隙間がないように密着している。この密着性は、締付バンド２０での締め付けを強くすることにより高めることができるし、あるいは、スカート部４の端部６と端部７との間隔を眼鏡８の右フレーム９と左フレーム９との間隔よりも小さくすることにより高めることができる。
【００１１】
上記実施の形態によれば、スカート部４の両端部以外の部分の周縁部が装着者の顔面を覆うように密着してそこから水中メガネ１内に水が入るのを防止すると共に、スカート部４の両端部６，７の内側に設けられたゲル状物質が収容された収容体１０がフレーム９と隙間がないように密着し、かつフレーム９の近傍の側頭部と隙間がないように密着して眼鏡８のフレーム９と使用者の側頭部とが接する領域から水中メガネ１内に水が入るのを防止されているため、使用者（装着者）が眼鏡をかけた状態で水中メガネを装着することができる。また、スカート部４の両端部６，７の内側に設けられたゲル状物質が収容された収容体１０は、様々な形状やある程度の厚さのある眼鏡フレームに対応することができるように幅、厚さ及び大きさ等を設定することができる。
【図面の簡単な説明】
【００１２】
【図１】図１は、本発明にかかる水中メガネの実施の形態を示す平面図である。
【図２】図２は、上記実施の形態を示す部分断面図である。
【符号の説明】
【００１３】
１    水中メガネ
２    ガラス部
３    フレーム部
４    スカート部
５    鼻部
６    端部
７    端部
８    眼鏡
９    眼鏡のフレーム
１０    収容体
２０    締付バンド
【図１】
2009000193.tif 000003
【図２】
2009000193.tif 000004
(57)【要約】【課題】  水はけが無い状態における植物栽培方法及びその方法を用いた植栽を提供する。【解決手段】  腐敗し難い樹皮を機械的に粉砕したものに植えることにより、排水孔のない容器で花卉類及び観葉植物を長期間栽培できることを特徴とする植栽商品を提供する。【特許請求の範囲】
【請求項１】
腐敗し難い樹皮を機械的に粉砕したものに植えた植物を排水孔の無い容器に入れたことを特徴とする植栽。
【請求項２】
腐敗し難い樹皮として、スギ・ヒノキ・ヒバ及びユーカリの中から選択された、１種以上よりなる請求項１記載の植栽。
【請求項３】
腐敗し難い樹皮を機械的に粉砕したものに保水剤や肥料を添加して植えた請求項１記載の植栽。
【請求項４】
土壌体積の５％〜１００％を腐敗し難い樹皮を機械的に粉砕したものと保水剤、肥料で占めるように植えた請求項１記載の植栽。
【発明の詳細な説明】
【技術分野】
【０００１】  発明の属する技術分野は植物の栽培方法に関するものである。
【背景技術】
【０００２】  従来、植物は切り花を除くと排水孔を持つ容器に土、バーク堆肥、ピートモスなどを入れて栽培されてきた（特許文献１，２，３，４，５，６，７、非特許文献１，２，３）。そのために例えば鉢花を室内で飾る際には水の受け皿が必要であった。しかし、灌水の仕方によっては受け皿から水が溢れてしまい、室内を汚してしまうことから使われる場所が限られてしまう場合がある。また、排水孔の無い容器に植えると水が腐り根腐れが生じて植物が枯れてしまうという問題があった。殺菌剤を利用することは可能であるが、植物自体が障害を受ける場合もある。廃液が環境へ放出されることに対する配慮という観点からも好ましくない。
【特許文献１】特許第３８９１５９８
【特許文献２】特開平７−２７４７３１
【特許文献３】特開平８−３０８３８６
【特許文献４】特開平１０−１９１７８８
【特許文献５】特開平１１−１６８９８２
【特許文献６】特開２００２−８４８９３
【特許文献７】特開２００６−１９７８８５
【非特許文献１】ｈｔｔｐ：／／ｗｗｗ．ｇｒｅｅｎ−ｆｌｏｗｅｒ．ｎｅｔ／１０＿９．ｈｔｍｌ
【非特許文献２】ｈｔｔｐ：／／ｗｗｗ．ｄａｉｉｃｈｉ−ｅｎｇｅｉ．ｃｏ．ｊｐ／ｅｃ／ＣＳｆＤａｉＴｏｐ＿００１．ｊｓｐ
【非特許文献３】ｈｔｔｐ：／／ｔｅｎａｎｔ．ｄｅｐａｒｔ．ｌｉｖｅｄｏｏｒ．ｃｏｍ／ｔ／ｇｏｏｄｆｅｌｌｏｗ／ｉｔｅｍ９１３８５１．ｈｔｍｌ
【発明の開示】
【発明が解決しようとする課題】
【０００３】  以上のように通常の土を使ったプランター等を含む鉢植えにおいては、排水孔を設けておかないと滞留した水に腐敗菌が増殖する、或いは根の周囲が酸素欠乏に陥ることで根が傷み植物が枯れてしまうこととなる。従って、プランター等を含む鉢植えを食卓の上やピアノのようなインテリアの上に気軽に飾りたいという要求があるにも関わらず、漏水を恐れてこれらの市場の要求に応えることが出来ていない。【０００４】  本発明の目的は、水はけが無い容器における植物栽培方法及びその方法を用いた植栽を提供することで上述のような市場の要求に応えることにある。
【課題を解決するための手段】
【０００５】  上記目的を達成するために、本発明では既にあるプランター等を含む鉢植え等の植物の根から土を除去した上で、腐敗し難い樹皮を機械的に粉砕したもので根を被い排水孔が無い容器に植え替える。腐敗し難い樹皮を機械的に粉砕したものはフィトンチッドなどの溶出によって、根の周りに腐敗菌などの雑菌が繁殖しにくい環境を作り出す。更に、樹皮を機械的に粉砕したものは多孔質繊維を多量に含んでいるため、灌水しても多くの気泡を持つことにより根に対して十分な酸素を供給できる利点もある。【０００６】  植え替えの手間を省くために、腐敗し難い樹皮を機械的に粉砕したものを排水孔が無い容器に土の代わりとして予め充填し種苗を入れて栽培し、そのまま鉢植えの植物として利用してもよい。
【発明の効果】
【０００７】  プランター等を含む鉢植えの植物を飾りにくかった食卓やピアノなどのインテリアに安心して置くことが出来るようになる。【０００８】  プランター等を含む鉢植えから排水が出ないので、環境に負担をかけない植物栽培を可能とする。【０００９】  プランター等を含む鉢植えに排水用受け皿が不要となるため、鉢としての意匠面の幅が広がる。
【発明を実施するための最良の形態】
【００１０】  プランター等を含む鉢植え等の植物の根から土を除去した上で、スギの樹皮を機械的に粉砕したもので相を被い排水孔が無い容器に植え替える。【００１１】  スギ樹皮を機械的に粉砕したものを排水孔が無い容器に土の代わりとして予め充填し種苗を入れて栽培し、そのまま鉢植えの植物として利用してもよい。【００１２】  スギ樹皮を機械的に粉砕したものだけでは植物によっては必要な養分と水分が得られない場合もあるため、適宜肥料や保水剤を添加しても構わない。
(57)【要約】【課題】  餅はチルド温度或いは常温において、フィルム等で被覆することなしに放置すると硬化しやすいため、餅を食する場合は焼く、煮る、揚げる等の再加熱が必要とされるが、再加熱後もすぐに硬化するという問題があった。【解決手段】  蒸した糯米を杵などで突いてできた餅でチーズ、キムチ、ほうれん草などを包み消費者の嗜好に合わせた具を、餅で包み、キャベツなどの野菜で更に包む。包んだ野菜の上から更にベーコンを巻きつけ串などを刺し、餅が柔らかいうちに冷凍し、糯米の素材とその風味を充分に活かし、いつでも手軽に美味しく煮込み食べられるようにした、杵つき餅ベーコン巻きを提供する。【選択図】図３
2009000096.tif 000002
【特許請求の範囲】
【請求項１】
イ）蒸した糯米を杵などで突いて杵つき餅（１）を作る。
ロ）杵つき餅（１）を適当な大きさに切り、杵つき餅（１）でチーズ、キムチ、ほうれん草などの餅の具（２）を包む。
ハ）餅の具（２）を包んだ杵つき餅（１）をキャベツ類（３）で包む。
ニ）杵つき餅（１）を包んだキャベツ類（３）にベーコン（４）を巻く。
ホ）ベーコン（４）の上から串（５）を刺す。
ヘ）杵つき餅（１）が柔らかいうちに冷凍する。
以上のことを特徴とする杵つき餅ベーコン巻き。
【請求項２】
串（５）に代えベーコン（４）の上から干瓢（６）で縛り固定した請求項１の杵つき餅ベーコン巻き。
【発明の詳細な説明】
【技術分野】
【０００１】  本発明は、蒸した糯米を杵などで突いてできた杵つき餅でチーズ、キムチ、ほうれん草などを包み消費者の嗜好に合わせたその餅の具を、キャベツなどの野菜で更に包み、包んだ野菜の上から更にベーコンを巻きつけ串などを刺し、杵つき餅が柔らかいうちに冷凍し、糯米の素材とその風味を充分に活かし、いつでも手軽に美味しく煮込み食べられるようにした、杵つき餅ベーコン巻きに関するものである。
【背景技術】
【０００２】  従来、餅はチルド温度或いは常温において、フィルム等で被覆することなしに放置すると硬化しやすいため、餅を食する場合は焼く、煮る、揚げる等の再加熱が必要とされるが、再加熱後もすぐに硬化するという問題があった。【０００３】  また、長時間の加熱、或いは、レトルト加熱に対しては、原型の保持が出来ず極度の軟化を示し、最終的には溶解してしまうなどの問題から、一般惣菜分野、菓子分野においての利用が制限されてきた。特許文献１の餅組成物及びその製造方法においては、餅粉と小麦蛋白質の割合が３：７〜７：３であることを特徴とする餅組成物であり、餅の粉を利用することで本発明による蒸した餅米を利用するものとは異なり本発明のものと比較し餅そのものが持つ食感や風味が悪い。
特許文献２の薄型加工餅についても体積比がモチ米約６０〜９０％、うるち米約１０〜４０％を使用した餅で、上面・下面どちらか一面を加熱処理することで全体が食するのに適した柔らかさに焼きあがるように厚さを調整したもので、もち米を蒸して杵などで突いた餅に具を合わせ冷却した本発明の杵つき餅ベーコン巻きとは異なるものである。
【特許文献１】特許出願２０００−３７７４７５号公報
【特許文献２】特開２００５−３４１９５２号公報
【発明の開示】
【発明が解決しようとする課題】
【０００４】  以上に述べた従来の餅は、次のような問題があった。
イ）一般惣菜分野、菓子分野に利用されている糯米粉を利用する餅は、糯米のもつ粘り感がない。
ロ）一般惣菜分野、菓子分野に利用されている小麦粉を原料とした餅や、餅粉を利用した餅は、糯米の持つ、のど越しの良さがない。
ハ）一般惣菜分野、菓子分野に利用されている小麦粉を原料とした餅や、糯米粉を利用した餅は、糯米を杵でついた餅と比較し、食味・食感などを得ることができない。
本発明は、以上のような問題を解決するためになされたもので、以下にその問題を解決する手段を説明する。
【課題を解決するための手段】
【０００５】イ）蒸した糯米を杵などで突いて杵つき餅（１）を作り適当な大きさに切る。
ロ）チーズ、キムチ、ほうれん草など消費者の嗜好に合わせた餅の具（２）を杵つき餅（１）で包み、杵つき餅（１）で包んだ餅の具（２）をキャベツ類（３）で更に包む。
ハ）包んだキャベツ類（３）の上からベーコン（４）を巻きつけ串ざしする。
ニ）串の代わりに干瓢で巻いて固定してもよい。
ホ）串や干瓢を利用し固定した餅ベーコン巻きを餅が柔らかいうちに冷凍し保存する。
以上の如く下ごしらえした、杵つき餅ベーコン巻き。
【発明の効果】
【０００６】本発明の  杵つき餅ベーコン巻きを利用すれば、以下の利点がある。
イ）杵つき餅ベーコン巻きは冷凍保存することができるので、糯米の収穫に応じた製品の出荷が可能であるため市場への安定供給が可能である。
ロ）糯米を粉にしないため、糯米の持つ特性を活かした食味食感が充分に提供できる。
ハ）糯米を蒸して突いてできたお餅又は、のし餅を利用し杵つき餅ベーコン巻きとして製品化し商品のままで冷凍保存することで、長期的にその商品の品質を保つことが出来る。
ニ）本発明の杵つき餅ベーコン巻きは、餅が柔らかい段階で冷凍保存し、半製品の原料素材として消費者及び業者へ提供することが出来る。
ホ）本発明の杵つき餅ベーコン巻きは、糯米加工食品として製品化することにより糯米の消費拡大が図れる。
ヘ）糯米の消費拡大が図れることにより、国内農業生産者の生活の安定・生産物の安定確保に繋がり、若い農業生産者の担い手の育成に繋がる。
ト）杵つき餅ベーコン巻きが糯米の加工食品として新規食分野へ進出することにより、主食の代用ができ国内糯米の自給率の向上に繋がる。
チ）杵つき餅ベーコン巻きは、餅の特徴ある粘り感や、のど越しの良さ、食味等が確認できる。
【発明を実施するための最良の形態】
【０００７】以下、本発明の実施の形態について説明する。
イ）蒸した糯米を杵などで突いて杵つき餅（１）を作る。
ロ）杵つき餅（１）を適当な大きさに切り、杵つき餅（１）でチーズ、キムチ、ほうれん草などの餅の具（２）を包む。
ハ）餅の具（２）を包んだ杵つき餅（１）をキャベツ類（３）で包む。
ニ）杵つき餅（１）を包んだキャベツ類（３）にベーコン（４）を巻く。
ホ）ベーコン（４）の上から串（５）で刺すか、干瓢を巻いて縛る。
ヘ）杵つき餅（１）が柔らかいうちに冷凍する。
本発明は、以上のような杵つき餅ベーコン巻きである。【０００８】これを利用する場合の一例を以下に説明すると、
冷凍した杵つき餅ベーコン巻きを自然解凍もしくは冷凍のまま煮込む。餅のもつ粘り感や、のど越しの良さ、食味、食感を味わいながら食する。
【図面の簡単な説明】
【００１１】
【図１】  本発明の実施による杵つき餅ベーコン巻きの串を刺した図
【図２】  本発明の実施による杵つき餅ベーコン巻きの干瓢で縛った図
【図３】  本発明の実施による杵つき餅ベーコン巻きの串を刺した断面図
【符号の説明】
【００１２】  １    杵つき餅
２    餅の具
３    キャベツ類
４    ベーコン
５    串
６    干瓢
【図１】
2009000096.tif 000003
【図２】
2009000096.tif 000004
【図３】
2009000096.tif 000005
(57)【要約】【課題】  バイオエタノールの原料となるグルコースを、セルロースチップや紙から酵素を用いて効率的に生産する方法を提供する。さらに、それと同じ技術が他のキチンのようなバイオマスの酵素的分解に対しても活用できる可能性を示す。【解決手段】  反芻動物によるセルロース糖化の特徴は、そしゃくによる機械的微細化と酵素による糖化を同時進行的に繰り返して行っていることである。したがってその原理を用いて、酵素(セルラーゼとグルコシダーゼ)存在下でセルロースチップや紙のミル処理を行えばよい。実際的には、酵素反応槽と湿式ミルを接続してバイオマスのけん濁液を循環させること、あるいはミル機能を備えた酵素反応槽にすることによる処理法が可能である。【選択図】    図1
2009000059.tif 000002
【特許請求の範囲】
【請求項１】
セルロースその他のバイオマスを効率的に酵素分解させるための、湿式ミルと連結して循環させる酵素反応槽による処理方法
【請求項２】
セルロースその他のバイオマスを効率的に酵素分解させるための、ミル機能を備えた酵素反応槽による処理方法
【発明の詳細な説明】
【技術分野】
【０００１】
本発明は主にセルロースチップや紙を効率的に糖化してバイオエタノール生産に使用できるグルコースに効率的に変換する技術モデルに関するものである。
【背景技術】
【０００２】
セルロース結晶は微細化していくと、粉体として流動性が増して扱いやすくなったり全体の表面積が増したりすることの他に、結晶構造の一部が崩れてアモルファス状態になっている。しかし微細化によって生じたアモルファス状態は時間がたつと自然に結晶構造に戻る（非特許文献1参照）。
【０００３】
非結晶性つまりアモルファス状態のセルロースがセルラーゼによって加水分解されやすいことは、結晶性セルロースを燐酸に溶解した後に回収されたものを使って確認されている(非特許文献2参照)。
【０００４】
牛や羊のような反芻動物はリグニンを除いた木質のセルロースチップや紙を糖化して消化することができる。反芻動物ではセルロース資源を歯で磨り潰し、セルラーゼやグルコシダーゼなどの酵素を含んだ反芻胃に送り込み酵素で糖化したり攪拌したりする。さらにそれらを再び口に戻して、歯で磨り潰すそしゃく動作を数十回繰り返してセルロースを糖化して消化している。このように自然界では温和な条件で微細化するミルの働きと酵素作用をほとんど同時的に繰り返し行って、容易にセルロースの効率的な糖化を行っている（非特許文献3、非特許文献4参照）。
【０００５】
臼で磨り潰す湿式タイプのミルの中で泥状のトウモロコシからデンプンを取り出すときにセルラーゼを混入すると、デンプン抽出の時間が短縮されるという1989年の特許がある。この特許はセルロースからのグルコース生産と無関係であるが、穏やかなミルの作用ではセルラーゼのような酵素の破壊がないことが解る（特許文献1参照）。
【０００６】
主に紙の廃棄物のセルロース系バイオマスからグルコースを生産し、次いで醗酵させてエタノールを得る工程のモデルはすでに開発されテストされているが、これらの工程では微細化処理と糖化処理が継起的に行われて分離している（特許文献2参照）。
【非特許文献１】Ago M , Endo T and Hirotsu T (2004) Cellulose 11( 2) 163-167
【非特許文献２】NEDO海外レポートNO.977, 2006.4.26
【非特許文献３】阿久津  久、林産試だより、1985年12月号13-18
【非特許文献４】遠藤  展、林産試だより、1986年5月号17-20
【特許文献１】United States Patent 4795101
【特許文献２】特開２００６−０８８１３６号公報
【発明の開示】
【発明が解決しようとする課題】
【０００７】
セルロースの糖化とは植物起源のセルロースを加水分解してグルコースにすることである。グルコースは酵母によるアルコール醗酵でバイオエタノールに変換できる。しかしセルロースは酵素作用(セルラーゼとグルコシダーゼの共同作用)を受け付けにくいため、糖化が容易ではない。セルロースはグルコースが線状につながった高分子の集合体であり、通常は非水溶性の硬い結晶である。その結晶状態では酵素作用をほとんど受けない。そのためセルロースチップではミルで微粒子にして、さらに極微細化等によるメカノケミカル処理でアモルファス状態にして酵素による糖化効率を向上させている。このように、従来の酵素反応の前処理法は長時間の作業を要し、さらに多大な仕事量も浪費する傾向があった。
【課題を解決するための手段】
【０００８】
反芻動物によるセルロース糖化の特徴は、酵素作用の直前、および同時に微細化を行ってセルロースの流動性、表面積の増大と切断面の結晶構造の乱れのような部分的なアモルファス化を繰り返し行っていることである。つまり反芻動物は微細化と酵素糖化をほとんど同時進行的に行うことにより、アモルファス化したセルロースの部分が経時的に再結晶することによる不具合を巧みに克服している。
【０００９】
効率的な糖化のためには、反芻動物にならって酵素存在下でセルロースチップや紙のミル処理を行えばよい。そうすれば、これまで別々に行われていたセルロースチップや紙の微細化、メカノケミカル処理、および酵素糖化が一つのプロセスに短縮され、時間効率も高くなる。酵素が破壊されないような湿式ミルが適しているので、カッターミル、ボールミル、臼型ミルその他の湿式ミルで最適条件を選んで使用することができる。このような手段は酵素反応を前提にしたものであり、物質の微細化やメカノケミカル効果だけを目的とした従来の湿式ミルとは異なる。
【発明の効果】
【００１０】
酵素反応ミルでは、セルロースチップや紙からグルコースまでの数段階に分かれた処理を一段階にまとめたので全処理時間を短縮できる。さらに全体の処理作業が単純化されているので仕事量も少なくできる。したがってセルロースチップや紙からのバイオエタノール生産のコストダウンに寄与できる。セルロース以外の類似のバイオマス物質であるキチンでも、対応する酵素を選んでこれらの方式で糖化させることが可能である。
【発明を実施するための最良の形態】
【００１１】
セルロースチップや紙の微細化と部分的なアモルファス化、および酵素反応を繰り返し同時進行させるためにはいくつかの構造のモデルがありえる。どの方式でも酵素反応を円滑に進めるために事前に酵素作用を妨げるリグニンなどの物質を除いておく必要がある。温度とpHが調節できる必要がある。酵素反応ミル内のセルロースの重量％の範囲はミル操作と酵素反応が可能である限り制約がない。酵素量は多いほど糖化効率が向上する。代表的なモデルは図1の循環型酵素反応ミルである。
【００１２】
その他、図１のミルの部分を反応液に浸す構造や臼型のような、ミルと一体化した酵素反応槽も可能である。糖化作業後にミルの動作を止めてから酵母の醗酵条件にすれば、酵素反応ミルはそのままエタノール醗酵槽として用いることもできる。
【図面の簡単な説明】
【００１３】
【図１】微細化用ミルと連動した循環型酵素反応槽の原理図
【符号の説明】
【００１４】
1      酵素反応槽
2      セルロースチップまたは紙と酵素を含んだけん濁液
3      けん濁液吸引管
4      湿式ミル
・  処理後のけん濁液放出管
【図１】
2009000059.tif 000003
(57)【要約】【課題】文鎮を引き出しの中で使用すると、引き出しの開閉時、文鎮がズレたりころがりやすく書類や文鎮自体が引っかかり引き出しの開閉に支障を来たし不便であった。【解決手段】文鎮の断面形状をＬ字形にする事でズレにくくし、文鎮の掴み穴にテーパーを付け指先がかかりやすく掴みやすくする事で使いやすくする。【選択図】図１
2009000992.tif 000002
【特許請求の範囲】
【請求項１】
引き出し内の書類等を押さえやすくしたＬ字形断面を特徴とする文鎮
【請求項２】
前期文鎮の掴み穴は、指先がかかりやすいようテーパーを付けた事を特徴とする請求項１記載の文鎮。
【発明の詳細な説明】
【技術分野】
【０００１】  この発明は、引き出し内に用いる文鎮の形状に関する。
【背景技術】
【０００２】  従来の文鎮は、紙の上面を重しとして押さえるものである。
【発明の開示】
【発明が解決しようとする課題】
【０００３】  しかしながら、以上の技術によれば、引き出し内で文鎮を使用した場合、引き出しの開閉時ズレたりころがりやすく、書類や文鎮自体が引っかかり、引き出しの開閉に支障を来たし不便であった。
そこで、この発明は、ズレたりころがりにくく安全で使いやすい文鎮を提供することを課題とする。
【課題を解決するための手段】
【０００４】  以上の課題を解決するために、第一発明は、文鎮の断面形状をＬ字形にしたことを特徴とする。
また、第二発明は、文鎮の掴み穴にテーパーを付け指先を掛けやすくした事を特徴とする文鎮である。
【発明の効果】
【０００５】  第一発明、または第二発明によれば、文鎮の断面形状をＬ字形にした事でズレたりころがりにくく、掴み穴にテーパーを付けたので掴みやすく使いやすい。
【発明を実施するための最良の形態】
【０００６】この発明の一実施形態を、図１に示す。
文鎮の本体形状１は、Ｌ字型であり、掴み穴３にはテーパー２が、付けられている。【０００７】「実施形態の効果」
この実施形態によれば、Ｌ字型断面形状の  働きで、引き出しの開閉時、文鎮が書類をしっかり抱え込むように押さえ、ズレにくくころがりにくい。したがって、引き出しの開閉時引っかかる事を防止し、引き出しのスムーズな開閉ができる。【０００８】「他の実施形態」
図１の実施形態では、文鎮の材質は金属板であったが、他の実施形態では、材質は文鎮としての重量感のあるものであれば、合成樹脂、ガラス、陶器、磁器、木、ゴム、及びこれらの複合材でも良く、状況に応じて適宜選択されるものである。【０００９】  さらに、文鎮表面を研磨、メッキ等により鏡面にしたり鏡を付けても良い。【００１０】  また、掴み穴は卵形に限らず、楕円、円、勾玉形や多角形、花形、具象形、抽象形でもよい。【００１１】  掴み穴のテーパーは、文鎮本体を削るのではなく、テーパーを付けた縁取り部品を、掴み穴のまわりに付けても良い。【００１２】  文鎮の折り返し部の表裏に、滑り止めゴムをつけても良い。
【産業上の利用可能性】
【００１３】  本発明は事務机、文房具等を製造、販売する産業分野で利用することができる。
【図面の簡単な説明】
【００１４】
【図１】この発明の一実施形態を示す斜視図である。
【図２】この発明の一実施形態を示す断面図である。
【符号の説明】
【００１５】１  文鎮本体    ２  テーパー    ３  掴み穴    ４  滑り止めゴム    ５  書類
【図１】
2009000992.tif 000003
【図２】
2009000992.tif 000004
(57)【要約】      （修正有）【課題】エアキャップシートのエアキャップ部分にインクを入れて、インクが漏れないように密封をしたインク入りエアキャップシートを提供する。【解決手段】  エアキャップシート１のエアキャップ部２にインクを入れ、インクが漏れないように密封をしたことを特徴とする。【選択図】図１
2009000995.tif 000002
【特許請求の範囲】
【請求項１】
エアキャップシート（１）のエアキャップ部分（２）にインク（３）を入れ、インクが漏れないように密封をしたことを特徴としたインク入りエアキャップシート。
【発明の詳細な説明】
【技術分野】
【０００１】  本発明は、エアキャップシートのエアキャップ部分にインクを入れて、インクが漏れないように密封をしたインク入りエアキャップシートに関するものである。
【技術背景】
【０００２】  従来、エアキャップシートは、エアキャップ部分に空気を入れた緩衝材だった。
【発明が解決しようとする課題】
【０００３】  これは次のような欠点があった。
従来、エアキャップシートは緩衝材としてのみ使用されていた。
本発明は、以上のような欠点をなくすために考えたものである。
【課題を解決するための手段】
【０００４】  エアキャップシート（１）のエアキャップ部（２）にインク（３）を入れ、インクが漏れないように密封をする。
本発明は、以上の構成のインク入りエアキャップシートである。
【発明の効果】
【０００５】  エアキャップシートに圧を加えると、注入したインク部分が破裂し、中のインクが外へ飛散することで、紙などに着色し、色彩画ができる。
エアキャップをつぶす行為で色彩画ができる。
【発明を実施するための最良の形態】
【０００６】  以下、本発明を実施するための最良の形態について説明する。
エアキャップシート（１）のエアキャップ部（２）にインク（３）を入れる。
インクが漏れないように密封をする。
本発明は、以上のような構造でこれを使用するときは、エアキャップ部分に圧を加え、インク部分を破裂、中のインクを飛散させて、紙などに着色し、色彩画をつくる。
【図面の簡単な説明】
【０００７】
【図１】  本発明の分解斜視図である。
【図２】  本発明の拡大図である。
【図３】  本発明のｒ断面図である。
【符号の説明】
【０００８】  １  エアキャップシート
２  エアキャップ部
３  インク
【図１】
2009000995.tif 000003
【図２】
2009000995.tif 000004
【図３】
2009000995.tif 000005
(57)【要約】      （修正有）【課題】高熱時、脇の下のリンパ節を冷やす冷却装置。安全性と即効に着脱自在の操作をする工程を説明させる事を目的とする。【解決手段】人体の腕の付根の円周より大きめの円周を備えた肩掛け紐３を有する冷却装置を繋ぎ紐４を背に人体の腕に掛ける。始めに繋ぎ紐４を人体の反対ａの方向に引っ張り、次に肩掛け紐３の緩みが無くなる迄バランスを取りながらスライド式止め具５を絞って行き、冷却剤１を人体の脇に固定させる。【選択図】図１
2009000468.tif 000002
【特許請求の範囲】
【請求項１】
冷却剤又は該冷却剤を収納させる袋の側面より立上げた人体の腕の付根の円周より大きめの円周を備えた肩掛け紐と両肩掛け紐を繋ぐ止め具を有した一本の紐を使用し、人体に装着させる工程を説明させた冷却装置。
【発明の詳細な説明】
【発明に属する技術の分野】
【０００１】本発明は高熱時、脇の下のリンパ節を冷やす為の冷却装置が人体にすばやく安全に装着される工程を解説させた物である。
【背景技術】
【０００２】現在考えられている脇の下、冷却装置は装着させる迄に手間と時間が掛かり装着後も不安定であった。亦、紐が首にかかったりして危険も伴い幼児には不適切である。
【発明が解決しようとする課題】
【０００３】冷却剤を備えた肩掛け紐を止め具を有した一本の紐だけで人体に装着させるスピードと装着後の安全性を目的としている。
【発明を解決する為の手段】
【０００４】上記課題を解決する為に、請求項１の本発明では、人体の両脇に設置される冷却剤又は該冷却剤を収納させる袋の側面より立ち上げた人体の腕の付根の円周より大きめの円周を備えた肩掛け紐と、その両肩掛け紐を繋ぎ止める、滑り止めを有した一本の紐で、冷却装置が人体に装着させて行く工程を提供する。
【発明を実施するための最良の形態】
【０００５】本考案に関わる実施例を図面にそって説明する。図１は本発名の実施例の一つである。【０００６】請求項１の冷却装置は人体の両脇に設置される冷却剤１又は該冷却剤１を収納させる収納袋２の側面より人体の腕の付根の円周より大きめの円周を備えさせた冷却装置の両肩掛け紐３を繋ぎ止める一本の繋ぎ紐４を両肩掛け紐３に通し繋ぎ紐４の末端を一本にし、スライド式止め具５を差込む。又、スライド式止め具５が落ちない様、繋ぎ紐４の末端にふくらみを持たせ、ループエンド６させる。【０００７】図面１のイ）ロ）は人体の腕の付根の円周より大きめの円周を備えた肩掛け紐３を人体の腕に通し、人体の背中に設定された繋ぎ紐４を人体と反対方向（ａ）に引っ張り、大きめに設定された両肩掛け紐３のバランスを取りながら、スライド止め具５を図２に示す人体に向けて（ｂ）方向に肩掛け紐３の緩みが無くなる迄絞って行く。図２のイ）ロ）に示す肩掛け紐３の緩みが無くなり冷却剤１が人体の脇の下に固定される。
【発明の効果】
本発明の冷却装置は動きの活発な幼児にも、即効に着脱自在で有る事。尚装着後は冷却剤が脇の下から外れる事は無く安全性も高い
【図面の簡単な説明】
【図１】図１のイ）は繋ぎ紐４を背に肩掛け紐３に手を通し、繋ぎ紐４のスライド式止め具５を人体と反対方向（ａ）方向に引張った横図面です。ロ）はイ）の斜め図です。
【図２】図２のイ）繋ぎ紐４のスライド止め具５を人体の背に向けて（ｂ）方向に絞った図面。ロ）冷却剤１を人体に固定させた後ろ図面です。
【符号の説明】
１．冷却剤
２．収納袋
３．肩掛け紐
４．繋ぎ紐
５．スライド式止め具
６．ループエンド
【図１】
2009000468.tif 000003
【図２】
2009000468.tif 000004
(57)【要約】【課題】      紙芝居および読み聞かせの本をパソコン上で実行する事。【解決手段】  パソコン上のＨＤＤおよびＣＤ上にのせるプログラムを製作し、この課題を解決する。【特許請求の範囲】
【請求項１】
パソコン上で表現する紙芝居
【請求項２】
パソコン上で表現する読み聞かせの本
【発明の詳細な説明】
【技術分野】
【０００１】  本発明は紙芝居に関するものであり、パソコンのＣＤドライブおよびＨＤＤ上にプログラムを記憶させ、ディスプレイ上で紙芝居を実現するものである。
【背景技術】
【０００２】従来ではパソコン上で紙芝居の実行は不可能だった。
【発明の開示】
【発明が解決しようとする課題】
【０００３】  従来の紙芝居では形状も大きく限られた場所に限定されていた、本発明はそれをパソコン上で実現したものである。
【課題を解決するための手段】
【０００４】  この課題を解決するための請求項１の発明は、パソコンのＣＤ上又はＨＤＤ上にプログラムを記憶させディスプレイ上で実現するものである。【０００５】  また、請求項２の発明は、同じくパソコンのＣＤ上又はＨＤＤ上に読み聞かせの本のプログラムを記憶させ、ディスプレイ上で実現するものである。
【発明の効果】
【０００６】本発明により、場所を選ばず、またいつでも実行することができる。
【発明を実施するための最良の形態】
【０００７】ＣＤ上またはＨＤＤ上に記憶させるプログラムを作成した。
【産業上の利用可能性】
【０００８】  本発明に係る紙芝居、および読み聞かせの本は工業的に量産することが可能であるため、産業上の利用可能性を有する。
(57)【要約】【課題】まず本発明の目的は慶弔用生花盛り花において今までは長い花や枝物がないと製造できなかった事を本発明を用いる事により可能する生花サポーター１号を提供する。【解決手段】バケツに吸水フォームを詰めＣをＢに差し込む。Ａにも吸水フォームを装着これにより今までは背面に８０ｃｍ〜の花を挿さないと製品にならなかった盛り花が短い花でも完成させる事ができる。又、花は長く使うより短い方が水が下がらず、大変長持ちする。市場でも花は短い方が安いので利益が大幅にでる。又従来だと枝物などの長い物を使わないと背面が透けてしまったが、本発明では短いレザーファン（葉物）でも十分な為、季節により仕入れが困難だった長い枝物が必要なくなる。【選択図】図１
2009000469.tif 000002
【特許請求の範囲】
【請求項１】
短い花でも慶弔用生花を完成することができる器具。
【発明の詳細な説明】
【技術分野】
【０００１】本発明は生花盛り花を作りやすくするものである
【背景技術】
【０００２】本発明は花業界の慶弔用生花製作に関する。
【発明の開示】
【発明が解決しようとする課題】
【０００３】まず本発明の目的は慶弔用生花盛り花において今までは長い花や枝物がないと製作できなかった事を本発明を用いる事により可能する生花サポーターを提供する。
【課題を解決するための手段】
【０００４】今までは背面に８０ｃｍ〜の花を挿さないと製品にならなかった盛り花が短い花でも完成させる事ができる。又、花は長く使うより短い方が水が下がらず、市場でも短い方が安いので利益が大幅にでる。又、初心者は長い花を挿すというのは非常にむずかしい。本発明は初心者でも簡単に慶弔用生花盛り花を製作することができる。
【発明の効果】
【０００５】今まで長い花が無いと製作不可だった慶弔用盛り花が短い花でも完成させる事ができる。
【発明を実施するための最良の形態】図面参照
【実施例】
【０００６】吸水フォームが動かず、且つ、保水に余裕ができる様に作成した。【０００７】Ｃの部分は下の吸水フォーム入りバケツＣに差し込んだ時に固定される。
【図面の簡単な説明】
【０００８】
【図１】「実際に使用するときの完成図を示した」
【図２】「組む前の図を示した」
【符号の説明】
【０００９】１、Ａ  本発明品の上段の穴である。
２、Ｂ  吸水フォームと下の器の隙間である
３、Ｃ  本発明品の上段の足の部分である
４、Ｄ  斜線部は吸水フォームである
【図１】
2009000469.tif 000003
【図２】
2009000469.tif 000004